(57)【要約】【課題】冷蔵庫のガラスドアのデザインを変更したいときに、容易に変更可能とする。【解決手段】本実施形態の冷蔵庫は、貯蔵室２、３、４、５、６の前面開口部を扉７、８、９、１０、１１、１２で開閉するように構成されたものであって、前記扉７、８、９、１０、１１、１２の前面に、色調や意匠のデザインが施されたパネル部材１６を交換可能に設けたものである。【選択図】図２
2020041784.tif 000002
【特許請求の範囲】
【請求項１】
貯蔵室の前面開口部を扉で開閉するように構成された冷蔵庫であって、
前記扉の前面に、色調や意匠のデザインが施されたパネル部材を交換可能に設けた冷蔵庫。
【請求項２】
前記扉は、扉枠部材と、前記扉枠部材の前部に設けられたシート部材と、前記扉枠部材の後部に設けられた扉内側部材とを備え、
前記扉枠部材の前部には、前記シート部材の前側に位置して前記パネル部材をスライド可能に収納する溝部が設けられ、
前記扉枠部材の一辺部のうちの前記パネル部材に対応する前部分が着脱可能に構成された請求項１記載の冷蔵庫。
【請求項３】
前記扉枠部材の一辺部の前部分は、前記扉枠部材にねじ止めまたは係合爪固定されるように構成された請求項２記載の冷蔵庫。
【請求項４】
前記パネル部材は、ガラス板で構成された請求項１から３のいずれか一項記載の冷蔵庫。
【発明の詳細な説明】
【技術分野】
【０００１】
本発明の実施形態は、冷蔵庫に関する。
【背景技術】
【０００２】
前面板をガラス板で構成した扉いわゆるガラスドアを採用した冷蔵庫が提供されている。このような構成の冷蔵庫は、ガラスドアの意匠性が良いため、外観が美しく、価格も高価である。上記した冷蔵庫は、設置する部屋のデザインに合うように、ガラスドアの色調や意匠が選択されて購入されることが多い。ガラスドアの色調や意匠としては、いろいろな種類のものが用意されている。
【先行技術文献】
【特許文献】
【０００３】
【特許文献１】特開２０１８−３５９５４公報
【発明の概要】
【発明が解決しようとする課題】
【０００４】
引越しや部屋の模様替えが行われると、設置する部屋のデザインと冷蔵庫のガラスドアのデザイン（即ち、色調や意匠）が合わなくなることがある。このような場合、冷蔵庫のガラスドアは、交換することができないので、デザインが合わなないまま冷蔵庫を使用し続けるか、ガラスドアのデザインが合う冷蔵庫に買い替えるしかなかった。
そこで、冷蔵庫のガラスドアのデザインを変更したいときに、容易に変更することができる冷蔵庫を提供する。
【課題を解決するための手段】
【０００５】
本実施形態の冷蔵庫は、貯蔵室の前面開口部を扉で開閉するように構成されたものであって、前記扉の前面に、色調や意匠のデザインが施されたパネル部材を交換可能に設けたものである。
【図面の簡単な説明】
【０００６】
【図１】第１実施形態による冷蔵庫の正面図
【図２】扉の構成を説明する分解斜視図
【図３】扉の部分分解斜視図
【図４】第２実施形態によるガラス面材の部分平面図
【発明を実施するための形態】
【０００７】
以下、複数の実施形態による冷蔵庫を図面に基づいて説明する。尚、各実施形態において実質的に同一の構成部品には同一の符号を付し、説明を省略する。
【０００８】
（第１実施形態）
まず、図１に示すように、本実施形態の冷蔵庫の本体１は、断熱箱体で構成されており、この本体１の内部には、上段から順に冷蔵室２、野菜室３、製氷室４、小冷凍室５、冷凍室６が設けられている。冷蔵室２の前面部には、ドアとして例えばフレンチ型のヒンジ開閉式の冷蔵室用扉７、８が設けられている。尚、冷蔵室用扉７または冷蔵室用扉８の前面には、図示しない操作パネルが設けられており、この操作パネルに例えば各種の設定や選択を行なう操作部、必要な表示を行なう複数の表示部等が配設されている。
【０００９】
また、野菜室３の前側には、ドアとして例えば引出し式の野菜室用扉９が設けられている。野菜室用扉９の背面部には、食品たる青果物つまり野菜や果物などを収納する収納容器（図示しない）が取付けられている。製氷室４の前側には、ドアとして例えば貯蔵容器（図示しない）が連結された引出し式の製氷室用扉１０が設けられている。小冷凍室５の前側には、ドアとして例えば貯蔵容器（図示しない）が連結された引出し式の小冷凍室用扉１１が設けられている。冷凍室６の前側には、ドアとして例えば貯蔵容器（図示しない）が連結された引出し式の冷凍室用扉１２が設けられている。
【００１０】
尚、冷蔵室２および野菜室３は、いずれも冷蔵温度帯の貯蔵室であり、例えば、冷蔵室２の維持温度は１〜５℃に設定されており、野菜室３の維持温度はそれよりやや高い２〜６℃に設定されている。製氷室４、小冷凍室５、冷凍室６は、冷凍温度帯、例えば−１０〜−２０℃のマイナス温度帯の貯蔵室である。
【００１１】
また、冷蔵庫の体１の底部背面側には、機械室が設けられている。詳しく図示はしないが、冷蔵庫の本体１内には、周知構成の冷凍サイクル等が組込まれている。前記冷凍サイクルは、コンプレッサ、コンデンサ、絞り装置、エバポレータ等を冷媒パイプにより閉ループ状に接続して構成されている。
【００１２】
さて、扉冷蔵室用扉７、８、野菜室用扉９、製氷室用扉１０、小冷凍室用扉１１、冷凍室用扉１２は、いわゆるガラスドアとして構成されている。これらの扉は、ほぼ同じ構成であり、ここでは、冷凍室用扉１２の具体的構成について、図２及び図３を参照して説明する。
【００１３】
冷凍室用扉１２は、図２、図３に示すように、扉枠部材１５と、ガラス面材１６と、シート部材１７と、扉内側部材１８とを備えている。扉枠部材１５は、扉ハンドル１９と、左サッシュ２０と、右サッシュ２１と、扉キャップ２２とを有する。扉ハンドル１９、左サッシュ２０、右サッシュ２１、扉キャップ２２は、例えばＡＢＳ樹脂で形成されている。扉ハンドル１９、左サッシュ２０、右サッシュ２１、扉キャップ２２は、扉枠部材１５の一辺部を構成するものである。
【００１４】
ガラス面材１６は、例えばガラス板で構成され、ガラス板の前面の色調や意匠等のデザインとしては、種々異なるもの、即ち、多数のユーザがそれぞれ気に入るものを選択できるような数の種々のデザインのものが用意されていることが好ましい。ガラス面材１６は、パネル部材を構成するものである。シート部材１７は、例えば鉄板や樹脂板等で構成されている。扉内側部材１８は、ドアバックと称されるものであり、例えば樹脂板で構成されている。
【００１５】
扉枠部材１５の扉ハンドル１９の下面、即ち、内面には、前端部に第１の突片部１９ａが突設され、第１の突片部１９ａの少し後方に第２の突片部１９ｂが突設され、第２の突片部１９ｂの少し後方に第３の突片部１９ｃが突設され、後端部に第４の突片部１９ｄが突設されている。
【００１６】
そして、第１の突片部１９ａと第２の突片部１９ｂとの間に第１の差込溝１９ｅが形成され、この第１の差込溝１９ｅ内にガラス面材１６の上辺部が挿入されて嵌合されるようになっている。この場合、第１の差込溝１９ｅの内幅寸法はガラス面材１６の厚み寸法とほぼ同じに設定されている。更に、第２の突片部１９ｂと第３の突片部１９ｃとの間に第２の差込溝１９ｆが形成され、この第２の差込溝１９ｆ内にシート部材１７の上辺部が挿入されて嵌合されるようになっている。この場合、第２の差込溝１９ｆの内幅寸法はシート部材１７の厚み寸法とほぼ同じに設定されている。
【００１７】
同様にして、扉キャップ２２の上面、即ち、内面にも、扉ハンドル１９の第１の突片部１９ａ〜第４の突片部１９ｄと対応するように、第１の突片部２２ａ〜第４の突片部２２ｄが突設されている。そして、第１の突片部２２ａと第２の突片部２２ｂとの間に第１の差込溝２２ｅが形成され、この第１の差込溝２２ｅ内にガラス面材１６の下辺部が挿入されて嵌合されるようになっている。更に、第２の突片部２２ｂと第３の突片部２２ｃとの間に第２の差込溝２２ｆが形成され、この第２の差込溝２２ｆ内にシート部材１７の下辺部が挿入されて嵌合されるようになっている。
【００１８】
同様にして、左サッシュ２０の右面、即ち、内面にも、扉ハンドル１９の第１の突片部１９ａ〜第４の突片部１９ｄと対応するように、第１の突片部２０ａ〜第４の突片部２０ｄが突設されている。そして、第１の突片部２０ａと第２の突片部２０ｂとの間に第１の差込溝２０ｅが形成され、この第１の差込溝２０ｅ内にガラス面材１６の左辺部が挿入されて嵌合されるようになっている。更に、第２の突片部２０ｂと第３の突片部２０ｃとの間に第２の差込溝２０ｆが形成され、この第２の差込溝２０ｆ内にシート部材１７の左辺部が挿入されて嵌合されるようになっている。
【００１９】
同様にして、右サッシュ２１の左面、即ち、内面にも、左サッシュ２０の第１の突片部２０ａ〜第４の突片部２０ｄと対応するように、第１の突片部２１ａ〜第４の突片部（第２の突片部〜第４の突片部は図示しない）が突設されている。そして、第１の突片部２１ａと第２の突片部との間に第１の差込溝（図示しない）が形成され、この第１の差込溝内にガラス面材１６の右辺部が挿入されて嵌合されるようになっている。この構成の場合、扉ハンドル１９、左サッシュ２０、右サッシュ２１、扉キャップ２２の第１の差込溝１９ｅ、２０ｅ、２２ｅが、溝部を構成している。更に、第２の突片部と第３の突片部との間に第２の差込溝（図示しない）が形成され、この第２の差込溝内にシート部材１７の右辺部が挿入されて嵌合されるようになっている。
【００２０】
上記構成の場合、扉ハンドル１９と左サッシュ２０と扉キャップ２２を、図２に示すように、例えばねじ止め、係合、接着等によりほぼコ字状をなすように連結しておく。そして、扉ハンドル１９と左サッシュ２０と扉キャップ２２を連結した状態の連結物に対して、各第４の突片部１９ａ、２０ａ、２２ａの後面に、扉内側部材１８の上辺部、左辺部、右辺部を例えばねじ止め、係合、接着等により固着することにより、扉内側部材１８を取り付けている（図２参照）。
【００２１】
更に、扉ハンドル１９と左サッシュ２０と扉キャップ２２と扉内側部材１８を連結したものに対して、ガラス面材１６とシート部材１７を組み付ける。この場合、図２に示すように、扉ハンドル１９の第１の差込溝１９ｅと扉キャップ２２の第１の差込溝２２ｅ内にガラス面材１６を挿入して押し込んでいき、左サッシュ２０の第１の差込溝２０ｅ内にガラス面材１６を挿入する。同様にして、扉ハンドル１９の第２の差込溝１９ｆと扉キャップ２２の第２の差込溝２２ｆ内にシート部材１７を挿入して押し込んでいき、左サッシュ２０の第２の差込溝２０ｆ内にシート部材１７を挿入する。
【００２２】
尚、第１の差込溝１９ｅ、２０ｅ、２１ｅ、２２ｅ及び第２の差込溝１９ｆ、２０ｆ、２１ｆ、２２ｆ内には、例えばポリウレタン製のソフトテープが貼られている。これにより、ガラス面材１６及びシート部材１７は、差込溝内でがたつかないように構成されていると共に、シート部材１７と差込溝の嵌合部分から、後述するウレタン発泡時に発泡ウレタンが漏れ出ない構成となっている。
【００２３】
また、ガラス面材１６及びシート部材１７は、厚み寸法が、右端部から左端部へ行くほど、少しずつ薄くなるように、即ち、左端部の厚み寸法の方が若干薄くなる厚みの傾斜があるように形成されていることが好ましい。このように構成すると、ガラス面材１６及びシート部材１７を、差込溝内に挿入する作業が行い易くなる。
【００２４】
また、シート部材１７の前面には、第２の突片部１９ｂ、２０ｂ、２１ｂ、２２ｂの厚み寸法とほぼ同じ寸法の突出高さを有する多数の突部（図示しない）がほぼ均等に配置されるように突設されている。ガラス面材１６及びシート部材１７は、上記差込溝内に挿入嵌合された状態では、シート部材１７の前面の多数の突部の先端部がガラス面材１６の後面に当接することにより、シート部材１７の前面の多数の突部がガラス面材１６を支持するように構成されている。この多数の突部の当接支持により、ガラス面材１６のがたつきが防止される構成となっている。
【００２５】
さて、扉ハンドル１９と左サッシュ２０と扉キャップ２２と扉内側部材１８の連結物に、ガラス面材１６及びシート部材１７を挿入して嵌合したものに対して、図３に示すように、右サッシュ２１を取り付ける。この場合、右サッシュ２１は、ガラス面材１６に対応する前部材２３と、それ以外のものに対応する後部材２４とに前後方向に分割されている。
【００２６】
右サッシュ２１の後部材２４は、その上下端部に形成された係合爪２４ａを、扉ハンドル１９の右端部に形成された係合孔１９ｇと扉キャップ２２の右端部に形成された係合孔２２ｇに係合させることにより、扉ハンドル１９及び扉キャップ２２に固定される。また、右サッシュ２１の前部材２３は、その上下端部に形成された貫通孔２３ａにねじ２５を挿通させ、該ねじ２５を、扉ハンドル１９の右端部における第１の差込溝１９ｅの底部に形成されたねじ孔１９ｈと、扉キャップ２２の右端部における第１の差込溝２２ｅの底部に形成されたねじ孔２２ｈにねじ締めすることにより、扉ハンドル１９及び扉キャップ２２に固定される。これにより、扉ハンドル１９と左サッシュ２０と扉キャップ２２と扉内側部材１８とガラス面材１６とシート部材１７と右サッシュ２１とを組み付けた構成が形成される。尚、右サッシュ２１の前部材２３と後部材２４の分割ラインは、第２の突片部１９ｂ、２２ｂの前後方向（即ち、厚み方向）の中心を通り上下方向に延びる線にほぼ一致するように構成されている。
【００２７】
次に、上記組み付けた構成のうちの、扉ハンドル１９と左サッシュ２０と扉キャップ２２と右サッシュ２１、即ち、扉枠部材１５と扉内側部材１８とシート部材１７とで囲まれる空間内に発泡ウレタン（図示しない）を充填する。この場合、扉内側部材１８に形成された充填孔を通して図示しない発泡ウレタンを充填する。発泡ウレタンの充填完了と発泡ウレタンの固化により、扉組立体が製造される。扉組立体からは、ねじ２５を外すことにより、右サッシュ２１の前部材２３を取り外すことが可能な構成となっている。更に、前部材２３を取り外した状態で、扉組立体からガラス面材１６を取り外したり、ガラス面材１６を取り付けたりすることが可能なように構成されている。
【００２８】
尚、上記発泡ウレタンを充填する際には、発泡ウレタンを充填する前の扉組立体から右サッシュ２１の前部材２３を取り外すと共に、ガラス面材１６を取り外しておき、前部材２３とガラス面材１６を取り外した状態で発泡ウレタンの充填を実行するように構成しても良い。
【００２９】
上記した構成の本実施形態においては、扉１２の前面に、色調や意匠等のデザインが施されたパネル部材である例えばガラス面材１６を交換可能に設けたので、冷蔵庫のガラスドアのデザインを変更したいときに、ユーザの好みのガラス面材１６に容易に変更することができる。尚、ガラス面材１６の交換作業は、サービスマンが行っても良いし、ユーザが行っても良い。
【００３０】
また、上記実施形態では、扉ハンドル１９と左サッシュ２０と扉キャップ２２と右サッシュ２１、即ち、扉枠部材１５と扉内側部材１８とシート部材１７とで囲まれる空間内に発泡ウレタンを充填することにより、扉組立体が製造されるように構成した。この構成の場合、ガラス面材１６を取り付けない状態の扉組立体が扉として機能する構成であり、ガラス面材１６は、外観のデザインを受け持つものとなる。そして、発泡ウレタンの充填時に発生する応力は、シート部材１７に作用し、ガラス面材１６には作用しない構成となっている。このため、ガラス面材１６としては、従来構成のものより強度が弱いものを使用することが可能となる。従って、意匠等のデザインが良くても、強度が不足しているために、従来は使用できなかったガラス面材１６を、本実施形態の扉では、使用することができる。
【００３１】
（第２実施形態）
図４は、第２実施形態を示すものである。尚、第１実施形態と同一構成には同一符号を付している。この第２実施形態では、シート部材１７の前面に、多数の突部を形成する代わりに、例えば格子状をなす桟のような形状の突部２６を形成した。そして、上記格子状をなす桟のような形状の突部２６の前端部を、ガラス面材１６に当接させてガラス面材１６を支持するように構成した。
【００３２】
上述した以外の第２実施形態の構成は、第１実施形態の構成と同じ構成となっている。従って、第２実施形態においても、第１実施形態とほぼ同じ作用効果を得ることができる。特に、第２実施形態によれば、シート部材１７の前面に格子状の突部２６を形成したので、シート部材１７によるガラス面材１６の支持がより一層確実なものとなり、ガラス面材１６のがたつきを確実に防止することができる。
【００３３】
（その他の実施形態）
以上説明した複数の実施形態に加えて以下のような構成を加えても良い。
上記実施形態では、６枚扉を備えた冷蔵庫に適用したが、他の枚数の扉を備えた冷蔵庫に適用しても良い。また、上記実施形態では、ガラス面材１６を用いるように構成したが、これに限られるものではなく、例えばアクリル板を用いるように構成しても良い。この構成の場合、アクリル板として、色調や意匠が種々異なるものを用意することが好ましい。また、色調や意匠等のデザインが美しい他の板材を用いるように構成しても良い。
【００３４】
また、上記実施形態では、右サッシュ２１を分割し、右サッシュ２１の前部材２３を取り外し可能なように構成したが、これに限られるものではなく、左サッシュ２０を前後方向に分割し、左サッシュ２０の前部材を取り外し可能なように構成することにより、ガラス面材１６を交換可能なように構成しても良い。または、扉ハンドル１９や扉キャップ２２を前後方向に分割し、分割した前部材を取り外し可能なように構成しても良い。
【００３５】
また、上記実施形態では、扉ハンドル１９及び扉キャップ２２に右サッシュ２１の前部材２３をねじ２５止めするように構成したが、これに限られるものではなく、扉ハンドル１９及び扉キャップ２２に右サッシュ２１の前部材２３を係合爪・係合孔等で取り付けるように構成しても良い。また、扉ハンドル１９及び扉キャップ２２に右サッシュ２１の前部材２３の一端部をねじ止めし、他端部を係合爪・係合孔等で取り付けるように構成しても良い。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
図面中、１は冷蔵庫本体、２は冷蔵室、３は野菜室、４は製氷室、５は小冷凍室、６は冷凍室、７は冷蔵室用扉、８は冷蔵室用扉、９は野菜室用扉、１０は製氷室用扉、１１は小冷凍室用扉、１２は冷凍室用扉、１５は扉枠部材、１６はガラス面材、１７はシート部材、１８は扉内側部材、１９は扉ハンドル、２０は左サッシュ、２１は右サッシュ、２２は扉キャップ、２３は前部材、２４は後部材、２５はねじである。
【図１】
2020041784.tif 000003
【図２】
2020041784.tif 000004
【図３】
2020041784.tif 000005
【図４】
2020041784.tif 000006